(57)【要約】【課題】従来、従来、シート及び書類が一体になった封筒及び封書、メッセージつき封筒、便箋封筒が発明されていた。【解決手段】可変の情報をコンピューターにより情報の入出力を可能とした一般に汎用できる書類一体封筒の提供をする。【選択図】図１
2008037082.tif 000002
【特許請求の範囲】
【請求項１】
印刷可能な基材に第一山折線、第二谷折線、第三谷折線を設け、基材を四面分割し、第一山折線、第二谷折線からなる二面の天地左側方、逆コの字状に切り取り部を設け、第三谷折線からなる二面の天地右側方、コの字状に粘着部を設け、粘着部、切り取り部の天地左右、内方向にミシンを設け、第二谷折線を中心とし左右にミシンを設け、切り取り部を取り除いた状態において第一山折線、第二谷折線、第三谷折線より四つ折り加工されることを特徴としたシート一体封筒。
【請求項２】
印刷可能な基材に第一谷折線、第二谷折線を設け三面分割し、三分割の左第一面天地左に逆コの字状に切り取り部を設け、残り第一面、第二面の二分割に天地右側コの字状に粘着部を設け、粘着部、切り取り部の天地左右、内方向にミシンを設け、第一谷折線を中心とし左右方向にミシンを設け、切り取り部を取り除いた状態において第一谷折線、第二谷折線より三つ折り加工されることを特徴とした請求項１記載のシート一体封筒。
【請求項３】
印刷可能な基材に第一山折線、第二谷折線、第三谷折線を設け、基材を四面分割し、第一山折線、第二谷折線からなる二面の天地左側方、逆コの字状に切り取り部を設け、第三谷折線からなる二面の天地右側方、コの字状に粘着部を設け、粘着部、切り取り部の天地左右、内方向にミシンを設け、第二谷折線を中心とし左右にミシンを設け、第一山折線、第二谷折線、第三谷折線からなる、第一面、第二面、第三面、第四面、いずれに複写加工及び転写加工を施し複写構造を備え、切り取り部を取り除いた状態において第一山折線、第二谷折線、第三谷折線より四つ折り加工されることを特徴とした請求項１及び請求項２記載の複写シート一体封筒。
【請求項４】
印刷可能な基材に第一谷折線、第二谷折線を設け三面分割し、三分割の左第一面天地左に逆コの字状に切り取り部を設け、残り第一面、第二面の二分割に天地右側コの字状に粘着部を設け、粘着部、切り取り部の天地左右、内方向にミシンを設け、第一谷折線を中心とし左右方向にミシンを設け、第一谷折線、第二谷折線、からなる、第一面、第二面、第三面、いずれに複写加工及び転写加工を施し複写構造を備え、切り取り部を取り除いた状態において第一谷折線、第二谷折線、第三谷折線より三つ折り加工されることを特徴とした請求項１、請求項２及び請求項３記載の複写書シート一体封筒。
【発明の詳細な説明】
【技術の分野】
【０００１】本発明は、シート、書類及び複写書類と封筒が一体となり、コンピューターの情報出力を可能とした封筒に関するものである。
【背景技術】
【０００２】従来、シート及び書類が一体になった封筒及び封書、メッセージつき封筒（特許公開番号２００４−９１０４７）、便箋封筒（実用新案登録番号３０１７３０４）が発明されていた。
【特許文献１】特許公開番号  特開２００４−９１０４７
【特許文献２】実用新案登録番号  第３０１７３０４号
【発明の開示】
【発明が解決しようとする課題】
【０００３】  これには次のような欠点があった。
従来、シート及び書類が一体になった封筒及び封書、メッセージつき封筒、便箋封筒が発明されていた。【０００４】（イ）書類と封筒の一体になる印刷物が発明されていたが、封筒を袋状に加工する必要があった。
（ロ）書類と封筒の一体になる印刷物が発明されていたが、コンピューターの情報の出力を可能とした書類と封筒の一体になる印刷物の提供がなされていなかった。
（ハ）書類と封筒の一体になる印刷物が発明されていたが、可変の情報をコンピューターにより情報の入出力を可能とした一般に汎用できる書類と封筒の一体なるものの提供はなされていなかった。
本発明は、これらの問題点を解決するためになされたものである。
【課題を解決するための手段】
【０００５】印刷可能な基材に第一山折線、第二谷折線、第三谷折線を設け、基材を四面分割し、第一山折線、第二谷折線からなる二面の天地左側方、逆コの字状に切り取り部を設け、第三谷折線からなる二面の天地右側方、コの字状に粘着部を設け、粘着部、切り取り部の天地左右、内方向にミシンを設け、第二谷折線を中心とし左右にミシンを設け、切り取り部を取り除いた状態において第一山折線、第二谷折線、第三谷折線より四つ折り加工されるシート一体封筒を提供する。【０００６】印刷可能な基材に第一谷折線、第二谷折線を設け三面分割し、三分割の左第一面天地左に逆コの字状に切り取り部を設け、残り第一面、第二面の二分割に天地右側コの字状に粘着部を設け、粘着部、切り取り部の天地左右、内方向にミシンを設け、第一谷折線を中心とし左右方向にミシンを設け、切り取り部を取り除いた状態において第一谷折線、第二谷折線より三つ折り加工されるシート一体封筒を提供する。【０００７】印刷可能な基材に第一山折線、第二谷折線、第三谷折線を設け、基材を四面分割し、第一山折線、第二谷折線からなる二面の天地左側方、逆コの字状に切り取り部を設け、第三谷折線からなる二面の天地右側方、コの字状に粘着部を設け、粘着部、切り取り部の天地左右、内方向にミシンを設け、第二谷折線を中心とし左右にミシンを設け、第一山折線、第二谷折線、第三谷折線からなる、第一面、第二面、第三面、第四面、いずれに複写加工及び転写加工を施し複写構造を備え、切り取り部を取り除いた状態において第一山折線、第二谷折線、第三谷折線より四つ折り加工され複写シート一体封筒を提供する。【０００８】印刷可能な基材に第一谷折線、第二谷折線を設け三面分割し、三分割の左第一面天地左に逆コの字状に切り取り部を設け、残り第一面、第二面の二分割に天地右側コの字状に粘着部を設け、粘着部、切り取り部の天地左右、内方向にミシンを設け、第一谷折線を中心とし左右方向にミシンを設け、第一谷折線、第二谷折線、からなる、第一面、第二面、第三面、いずれに複写加工及び転写加工を施し複写構造を備え、切り取り部を取り除いた状態において第一谷折線、第二谷折線、第三谷折線より三つ折り加工される複写シート一体封筒を提供する。
以上本発明の課題を解決するための手段として提供する。
【発明の効果】
【０００９】本発明は、会員申込書類、広告書類、アンケート等に活用される印刷物と可変の情報をコンピューターにより情報の入出力を可能とした一般に汎用できる書類と封筒の一体なる書類封筒及び複写書類封筒を提供するものである。【００１０】本発明の効果により、書類と封筒の一体になる印刷物が発明されていたが、封筒を袋状に加工することから、コンピューターにより情報の入出力に困難があった問題の解決に至り、可変の情報をコンピューターにより情報の入出力を可能とした書類と封筒の一体なる書類封筒及び複写書類封筒により、コンピューターによる個別の可変情報の入出力が可能となり、会員申込書類、広告書類、アンケート等における利用効果が望める。【００１１】本発明の効果により、可変の情報をコンピューターにより情報の入出力を可能とした書類と封筒の一体なる書類封筒及び複写書類封筒により、コンピューターによる個別の可変情報の入出力が可能となることから、従来の会員申込書類、広告書類、アンケート等の生産コストに比較し、低コストにて書類と封筒の一体なる書類封筒及び複写書類封筒の提供が実現される。
本発明は、以上の効果を実現するものである。
【発明を実施するための最良の形態】
【００１２】  以下、本発明の実施の形態について図１乃至図１２をもちいて説明する。
図１に記載されているのは、本発明シート一体封筒四つ折り表面（１０ａ）の構成の形態を示した図で基材（１０１）に第一山折線（１０３）、第二谷折線ａ（１０４）、第三谷折線ｂ（１０４）を設け、基材をＡ、Ｂ、Ｃ、Ｄの四面分割し、第一山折線（１０３）、第二谷折線ａ（１０４）からなるＣ、Ｄ二面の天地左側方、コの字状に切り取り部（１０６）を設け、第三谷折線ｂ（１０４）からなるＡ、Ｂ二面の天地右側方、逆コの字状に粘着部（１０５）を設け、粘着部（１０５）及び切り取り部（１０６）の天地左右内方向にのミシンａ（１０２）を設け、第二谷折線ａ（１０４）を中心とし左右にミシンｃｂ（１０２）を設け、切り取り部（１０６）を取り除いた状態において第一山折線（１０３）、第二谷折線ａ（１０４）、第三谷折線ｂ（１０４）より四つ折り加工されるシート一体封筒四つ折の表面の構成形態の図である。【００１３】  図２に記載されているのは、図１からなるシート一体封筒四つ折の裏面の構成形態の図である。【００１４】  図３に記載されているのは、シート一体封筒四つ折の形態実施の図で基材（１０１）に必要印刷及びコンピューターによる情報の入出力後、基材（１０１）に山及び谷折り線を設け、基材（１０１）をＡ、Ｂ、Ｃ、Ｄの四面分割し、第一山折線（１０３）、第二谷折線ａ（１０４）からなるＣ、Ｄ二面の天地左側方、コの字状に切り取り部（１０６）を切り取り、Ａ、Ｂ、Ｃ、Ｄの四面を順に折方向ａ、ｂ、ｃに折り込む形態を示した図である。【００１５】  図４に記載されているのは、図３からなる基材（１０１）をＡ、Ｂ、Ｃ、Ｄの四面分割し、第一山折線（１０３）、第二谷折線ａ（１０４）からなるＣ、Ｄ二面の天地左側方、コの字状に切り取り部（１０６）を切り取り、Ａ、Ｂ、Ｃ、Ｄの四面を順に折方向ａ、ｂ、ｃに折り込んだ形態を示した断面図である。【００１６】  図５に記載されているのは前記図３、図４からなるシート一体封筒四つ折の実施の図で、基材（１０１）をＣ、ＤがＡ、Ｂ、に挟まれた状態で折り込まれ、粘着部（１０５）にて封印され、ミシンａ、ｂ、ｃ（１０２）から開閉することで、Ｃ、Ｄが二つ折り書類として用いられる状態を示した図である。【００１７】  図６に記載されているのは、本発明シート一体封筒三つ折り表面（２０ａ）の構成の形態を示した図で基材（１０１）に第一谷折線ａ（１０４）、第二谷折線ｂ（１０４）、を設け、基材をＡ、Ｂ、Ｃの三面分割し、第一谷折線ａ（１０４）、第二谷折線ｂ（１０４）からなるＣ一面の天地左側方、コの字状に切り取り部（１０６）を設け、第二谷折線ｂ（１０４）からなるＡ、Ｂ二面の天地右側方、逆コの字状に粘着部（１０５）を設け、粘着部（１０５）及び切り取り部（１０６）の天地左右内方向にのミシンａ（１０２）を設け、第二谷折線ａ（１０４）を中心とし左右にミシンｃｂ（１０２）を設け、切り取り部（１０６）を取り除いた状態において第一谷折線ａ（１０４）、第二谷折線ｂ（１０４）より三つ折り加工されるシート一体封筒三つ折の表面の構成形態の図である。【００１８】  図７に記載されているのは、前記図６からなるシート一体封筒三つ折の裏面の構成形態の図である。【００１９】  図８に記載されているのは、シート一体封筒三���折りの形態実施の図で基材（１０１）に必要印刷及びコンピューターによる情報の入出力後、基材（１０１）に谷折り線を設け、基材（１０１）をＡ、Ｂ、Ｃの三面分割し、第一谷折線ａ（１０４）、第二谷折線ｂ（１０４）からなるＣ一面の天地左側方、逆コの字状に切り取り部（１０６）を切り取り、Ａ、Ｂ、Ｃの三面を順に折方向ａ、ｂ、ｃに折り込む形態を示した図である。【００２０】  図９に記載されているのは、図８からなる基材（１０１）をＡ、Ｂ、Ｃの三面分割し、第一谷折線ａ（１０４）、第二谷折線ａ（１０４）からなるＣ一面の天地左側方、コの字状に切り取り部（１０６）を切り取り、Ａ、Ｂ、Ｃの三面を順に折方向ａ、ｂ、ｃに折り込んだ形態を示した断面図である。【００２１】  図１０に記載されているのは前記図８、図９からなるシート一体封筒三つ折の実施の図で、基材（１０１）をＣがＡ、Ｂ、に挟まれた状態で折り込まれ、粘着部（１０５）にて封印され、ミシンａ、ｂ、ｃ（１０２）から開閉することで、Ｃが書類として用いられる状態を示した図である。【００２２】    図１１に記載されているのは、シート一体封筒四つ折及びシート一体封筒三つ折の応用の実施例で、複写を必要とする書類において必要部分に複写部（２０１）を設け、複写部（２０１）から転写される位置に複写受け部（２０３）を設けることで、必要なる転写文字（２０２ａ）が複写受け部（２０３）にて転写されるものである。
図面においては、シート一体封筒三つ折の構成にて転写部を記載しているが、必要においては、シート一体封筒四つ折にても活用されるものである。
また、転写する位置においても必要に応じての位置の設定が可能である。【００２３】    図１２に記載されているのは、前記図１１に記載された複写シート一体封筒の実施の構成を示した図である。
以上、本発明の構成で、実施において下記に示す。
本発明の実施
本発明は、可変の情報をコンピューターにより情報の入出力を可能とした一般に汎用できる書類と封筒の一体になる印刷物の提供の実施をするものである。【００２４】本発明のシート一体封筒及び複写書シート一体封筒の実施の使用は、基材（１０１）に必要印刷を施し、さらに情報の異なる可変など必要情報の記載においては必要の枚数と必要内容をコンピューターにより情報の入出力後に、シート一体封筒四つ折及びシート一体封筒三つ折の切り取り部（１０６）を削除し、及びシート一体封筒三及び四つ折の状態で粘着部（１０５）にて封印される。
開閉においてミシンより開閉することで、シート一体封筒四つ折及びシート一体封筒三つ折りより、二折及び一枚の内封された書類の取り出しが可能になる。
本発明の仕様により、控え書類、受け取り確認など複写を必要とする場合において、図１１及び図１２に記載されている複写部（２０１）を設け、複写部（２０１）から転写される位置に複写受け部（２０３）を設けることで、必要なる転写文字（２０２ａ）が複写受け部（２０３）にて転写されるものである。
以上の仕様から、本発明の実施は会員申込書類、広告書類、アンケート、くじ引き、イベント、個人における郵送物等において実施されるものである。
以上、本発明は実施される。
【産業上の利用可能性】
【００２５】本発明の産業上の利用可能性により、シート一体封筒及び複写書シート一体封筒は異なる情報をコンピューターにより可変情報の入出力を可能となることから、従来の会員申込書類、広告書類、アンケート等に比較し利用を拡大することが可能となる。
会員申込書類、広告書類、アンケート、くじ引き、イベント、個人における郵送物等に活用されるシート一体封筒及び複写書シート一体封筒の提供が可能となることから産業上、郵送の必要とする書類に用いられ秘密情報を隠蔽した郵送物の提供と書類と封筒の一体になる印刷物の提供が実現される。
また、本発明の産業上の利用可能性により従来、書類と封筒の一体になる印刷物が発明されていたが、封筒を袋状に加工されたものと異なり本発明シート一体封筒及び複写書シート一体封筒はコンピューターにより情報の入出力を可能としたことで、一般に汎用できる書類と封筒の一体の提供によりキャラクターのプリント商品やノベルティー商品等において産業上利用される。
本発明は、以上の構成より産業上利用されるものである。
【図面の簡単な説明】
【００２６】
【図１】  本発明シート一体封筒四つ折の表面の構成形態の図である。
【図２】  本発明シート一体封筒四つ折の裏面の構成形態の図である。
【図３】  本発明シート一体封筒四つ折の形態実施の図である。
【図４】  本発明シート一体封筒四つ折の構成の断面図である。
【図５】  本発明シート一体封筒四つ折の形態実施の図である。
【図６】  本発明シート一体封筒三つ折の表面の構成形態の図である。
【図７】  本発明シート一体封筒三つ折の裏面の構成形態の図である。
【図８】  本発明シート一体封筒三つ折の形態実施の図である。
【図９】  本発明シート一体封筒三つ折の構成の断面図である。
【図１０】  本発明シート一体封筒三つ折の形態実施の図である。
【図１１】  本発明複写シート一体封筒の構成形態の図である。
【図１２】  本発明複写シート一体封筒の形態実施の図である。
【符号の説明】
【００２７】１０ａ．四つ折りシート一体封筒表面
１０ｂ．四つ折りシート一体封筒裏面
１０ａｂ．四つ折りシート一体封筒本体
２０ａ．三つ折りシート一体封筒表面
２０ｂ．三つ折りシート一体封筒裏面
２０ａｂ．三つ折りシート一体封筒本体
３０．複写シート一体封筒本体
１０１．基材ａ
１０２．ミシンａ〜ミシンｃ
１０３．山折線
１０４．谷折線ａ〜ｂ
１０５．糊部
１０６．切り取り部
１０７．宛名
２０１．複写部
２０２ａ．転写文字
２０２ｂ．転写文字
２０３．複写受け部
【図１】
2008037082.tif 000003
【図２】
2008037082.tif 000004
【図３】
2008037082.tif 000005
【図４】
2008037082.tif 000006
【図５】
2008037082.tif 000007
【図６】
2008037082.tif 000008
【図７】
2008037082.tif 000009
【図８】
2008037082.tif 000010
【図９】
2008037082.tif 000011
【図１０】
2008037082.tif 000012
【図１１】
2008037082.tif 000013
【図１２】
2008037082.tif 000014